(57)【要約】【課題】回路遮断器の操作ハンドルの操作禁止を促すために取り付けられるハンドルロック装置において、ハンドルロック装置を取り付けた状態であっても回路遮断器のオン位置、又はオフ位置の状態を確認することができるハンドルロック装置を容易な取り付け、少ない構成部品で提供する。【解決手段】操作ハンドルを回動可能に収納するとともに一面を開口とした箱体部であって、箱体部の他の一面にハンドルロック装置取り付け時に外部から視認可能な確認窓を設け、操作ハンドルが突出して設けられる回路遮断器のケース開口には係止部を設け、係止部を回路遮断器に設けた被係止部によって係止することで固定可能とした。【選択図】図１
2009193828.tif 000002
【特許請求の範囲】
【請求項１】
回路遮断器のケース開口から突出して設けられるとともに回動可能な操作ハンドルを操作できないようにするためのハンドルロック装置において、該ハンドルロック装置は前記操作ハンドルを回動可能に収納するとともに一面を開口とした箱体部であって、該箱体部の他の一面にハンドルロック装置取り付け時に外部から視認可能な確認窓を設け、前記ケース開口には係止部を設け、該係止部を前記回路遮断器に設けた被係止部によって係止することで固定可能としたことを特徴とする回路遮断器のハンドルロック装置。
【発明の詳細な説明】
【技術分野】
【０００１】
本発明は、ハンドルロック装置に関するものである。
【背景技術】
【０００２】
従来、一般的にハンドルロック装置は、操作ハンドルがオン位置又はオフ位置それぞれの状態で固定されていた。
【０００３】
しかし、操作ハンドルの状態が固定されているため、機器が内部でトリップを起こしていても、外部からはその状態を判断できなかった。
【０００４】
この改善策として特許文献１に記載されているような、操作ハンドルに係合してオン位置、又はオフ位置の状態を維持するためのハンドルロック装置であって、操作ハンドルの回動側の面を切り欠いて形成することで操作ハンドルがオン位置又はオフ位置であることを確認可能にしたハンドルロック装置を用いることが考えられる。
【０００５】
又、特許文献２に記載されているような、操作ハンドルを回動可能に収納する一面を開口した箱体部と、箱体部の開口周縁に形成した係止部とを透明材料で形成して成り、回路遮断器を収納する分電盤の前面カバーに形成された回路遮断器の操作ハンドルを露出するための操作窓の周縁に係止部を係止させて取り付けたハンドルロック装置を用いることも考えられる。
【特許文献１】実開平６−８２７３７
【特許文献２】特開２００３−２９７２１３
【発明の開示】
【発明が解決しようとする課題】
【０００６】
しかしながら、特許文献１に記載の発明では配線覆いの開口部に係合されるものであるため、配線覆いをしたままではハンドルロック装置を取り外す際に手間がかかり、取り付けに失敗すると配線覆いを外す等するため作業に時間がかかり、作業効率を下げる恐れがあるという欠点があった。
【０００７】
又、特許文献２に記載の発明では、透明な材質を用いてハンドルロック装置を形成するため、耐熱性等について材質を選定する際に材質が限定されてくるという欠点があった。
【０００８】
又、ハンドルロック装置を配線覆いの内側から取り付ける構造であるため、回路遮断器を再投入する際には配線覆いを外す必要があり、作業に時間がかかるという欠点があった。
【０００９】
このため、本発明によって解決しようとする課題は回路遮断器の操作ハンドルの操作禁止を促すために取り付けられるハンドルロック装置において、ハンドルロック装置を取り付けた状態であっても回路遮断器のオン位置、又はオフ位置の状態を確認することができるハンドルロック装置を容易な取り付け、少ない構成部品で提供することにある。
【課題を解決するための手段】
【００１０】
上記した課題を解決するためになされた本発明のハンドルロック装置は、回路遮断器のケース開口から突出して設けられるとともに回動可能な操作ハンドルを操作できないようにするためのハンドルロック装置において、ハンドルロック装置は操作ハンドルを回動可能に収納するとともに一面を開口とした箱体部であって、箱体部の他の一面にハンドルロック装置取り付け時に外部から視認可能な確認窓を設け、ケース開口には係止部を設け、係止部を回路遮断器に設けた被係止部によって係止することで固定可能にしたものである。
【発明の効果】
【００１１】
本発明のハンドルロック装置によれば、外部からハンドルロック装置を取り付けた状態で回路遮断器のオン位置、又はオフ位置の状態を確認することができる。
【００１２】
又、操作ハンドル部全体に被せる構造であるため、操作ハンドルのみに対してハンドルロック装置を取り付ける場合に比べて容易に取り付け作業が行える。
【発明を実施するための最良の形態】
【００１３】
本発明では、回路遮断器に設けられるハンドルロック装置を少ない部品数で構成し、容易な取付を可能にした。
【実施例１】
【００１４】
以下、本発明の実施の形態を説明する。
回路遮断器１３のケース開口１２から突出して設けられるとともに回動可能な操作ハンドル１１を操作できないようにするためのハンドルロック装置４において、操作ハンドル１１を回動可能に収納するとともに一面を開口６とした箱体部５であって、箱体部５の他の一面にハンドルロック装置４取り付け時に外部から視認可能な確認窓７を設け、開口６の左右どちらか片側に係止部８を設け、回路遮断器１３に係止部８に合うように設けた被係止部１９に係止して固定可能とするため、外部から回路遮断器１３の状態を確認可能なハンドルロック装置４として使用でき、又、操作ハンドル１１部全体に被せるため容易に取り付け作業を行うことが出来る。
【実施例２】
【００１５】
回路遮断器のケース開口から突出して設けられるとともに回動可能な操作ハンドルを操作できないようにするためのハンドルロック装置２４において、操作ハンドルを回動可能に収納するとともに一面を開口２６とした箱体部２５であって、箱体部２５の他の一面にハンドルロック装置２４取り付け時に外部から視認可能な確認窓２７を設け、開口２６の左右両側に係止部２８を設け、回路遮断器に係止部２８に合う位置に設けた被係止部に合わせて固定可能とするため、外部から回路遮断器の状態を確認可能なハンドルロック装置２４として使用でき、又、操作ハンドル部全体に被せるため容易に取り付け作業を行うことが出来る。加えて、係止部２８と被係止部をそれぞれ左右両側に設けることによってハンドルロック装置２４の上下の向きに関わらず取り付けることが出来る。
【実施例３】
【００１６】
回路遮断器４３のケース開口４２から突出して設けられるとともに回動可能な操作ハンドル４１を操作できないようにするためのハンドルロック装置３４において、操作ハンドル４１を回動可能に収納するとともに一面を開口３６とした箱体部３５であって、箱体部３５の他の一面にハンドルロック装置３４取り付け時に外部から視認可能な確認窓３７を設け、開口３６の左右どちらか片側に貫通穴を設けてネジを通した係止部３８を設け、回路遮断器４３に係止部３８に合う位置にネジ穴を設けた被係止部４９に合わせて固定可能とするため、外部から回路遮断器４３の状態を確認可能なハンドルロック装置３４として使用でき、又、操作ハンドル４１部全体に被せるため容易に取り付け作業を行うことが出来る。
【００１７】
以上のように、本発明のハンドルロック装置は、回路遮断器において操作ハンドルの操作禁止を促すハンドルロック装置として使用することで、少ない部品数で構成し、容易に取り付け作業を行え、回路遮断器の状態を外部から確認できるものである。
【図面の簡単な説明】
【００１８】
【図１】本発明の実施例１における、ハンドルロック装置の底面斜視図である。
【図２】本発明の実施例１における、回路遮断器の斜視図である。
【図３】本発明の実施例２における、ハンドルロック装置の底面斜視図である。
【図４】本発明の実施例３における、ハンドルロック装置の底面斜視図である。
【図５】本発明の実施例３における、回路遮断器の斜視図である。
【図６】従来技術における、特許文献１に記載のハンドルロック装置の分解斜視図である。
【図７】従来技術における、特許文献２に記載のハンドルロック装置の要部断面図である。
【符号の説明】
【００１９】
１    操作ハンドル
２    ケース開口
３    回路遮断器
４    ハンドルロック装置
５    箱体部
６    開口
７    確認窓
８    係止部
９    被係止部
【図１】
2009193828.tif 000003
【図２】
2009193828.tif 000004
【図３】
2009193828.tif 000005
【図４】
2009193828.tif 000006
【図５】
2009193828.tif 000007
【図６】
2009193828.tif 000008
【図７】
2009193828.tif 000009